(57)【要約】【課題】構造を簡易にし、作動確実性を高めた負荷時タップ切換器の蓄勢装置を提供すること。【解決手段】駆動軸に連結されて長手方向に摺動する、蓄勢スライダ及び放勢スライダと備え、これら蓄勢スライダ及び放勢スライダが、その摺動方向へ互いに平行に延設された複数のガイドバーにより案内される負荷時タップ切換器の蓄勢装置において、前記ガイドバー６，７，８を３本設けるとともに、そのうち２本をそれぞれ前記蓄勢バネで包囲し、前記蓄勢スライダ３に３つの直進軸受９，１０，１１を設け、この３つの直進軸受９，１０，１１がそれぞれ前記ガイドバー６，７又は８を１本ずつ支持し、前記放勢スライダ１６に３つの直進軸受１８，１９，２０を設け、この３つの直進軸受１８，１９，２０がそれぞれ前記ガイドバー６，７又は８を１本ずつ支持する。
2008544504.tif 000002
【特許請求の範囲】
【請求項１】
駆動軸に連結されて長手方向に摺動する蓄勢スライダと、
駆動軸に連結されて長手方向に摺動する放勢スライダと
を備え、
これら蓄勢スライダ及び放勢スライダが、その摺動方向へ互いに平行に延設された複数のガイドバーにより案内され、
前記蓄勢スライダ及び前記放勢スライダの間に設けられた少なくとも１つの蓄勢バネを備え、
負荷時タップ切換器の各切換え時に、前記蓄勢スライダが所定の２位置間を摺動して少なくとも前記蓄勢バネが伸張され、
前記蓄勢スライダが前記２位置のうち一方から他方へ到達する直前に、これまで係止されていた前記放勢スライダの係止が解除されて該放勢スライダが弾発的に前記蓄勢スライダの運動に追従する、負荷時タップ切換器の蓄勢装置において、
前記ガイドバー（６，７，８）を３本設けるとともに、そのうち２本（６，７）をそれぞれ前記蓄勢バネ（１２，１３）で包囲し、
前記蓄勢スライダ（３）に３つの直進軸受（９，１０，１１）を設け、この３つの直進軸受（９，１０，１１）がそれぞれ前記ガイドバー（６，７又は８）を１本ずつ支持し、
前記放勢スライダ（１６）に３つの直進軸受（１８，１９，２０）を設け、この３つの直進軸受（１８，１９，２０）がそれぞれ前記ガイドバー（６，７又は８）を１本ずつ支持することを特徴とする蓄勢装置。
【請求項２】
前記蓄勢スライダ（３）及び前記放勢スライダ（１６）のそれぞれ一端にその摺動方向と直角状に２つずつ直進軸受（９，１０或いは１９，２０）を設けるとともに、それぞれの他端に１つずつ直進軸受（１１或いは１８）を設けたことを特徴とする請求項１記載の蓄勢装置。
【請求項３】
前記蓄勢バネ（１２，１３）の両端部それぞれにバネ支え（１４，１５）を設けて当該蓄勢バネを支持し、
前記各バネ支え（１４，１５）を前記ガイドバー（６，７，８）上で独立して摺動可能に設け、
前記各バネ支え（１４，１５）を、一方では蓄勢スライダ（３）及び放勢スライダ（１６）と同様に構成するとともに、他方では前記蓄勢スライダ（３）及び前記放勢スライダ（１６）の最終移動位置に当接し、これら両部材の移動に伴い摺動するよう構成したことを特徴とする請求項１又は２記載の蓄勢装置。
【請求項４】
前記放勢スライダ（１６）に、偏心カム（２）に設けられたローラピン（２９）と協働するキャッチ（２７，２８）を設け、
前記ローラピン（２９）を、前記放勢スライダ（１６）がその最終移動位置に到達する直前に、回転自在の前記偏心カム（２）により前記放勢スライダ（１６）をその最終移動位置に更に押圧すべく前記キャッチ（２７，２８）に当接するよう設けたことを特徴とする請求項１〜３の何れか１項に記載の蓄勢装置。
【発明の詳細な説明】
【技術分野】
【０００１】
本発明は、負荷時タップ切換器の蓄勢装置に関する。ここで、負荷時タップ切換器は、負荷時において変圧器の複数のコイルタップ間で遮断することなく切換えを行うものである。
【背景技術】
【０００２】
上記のような蓄勢装置は特許文献１及び特許文献２に既に開示されている。この蓄勢装置は、負荷時タップ切換器の操作開始時にこの負荷時タップ切換器の駆動軸により蓄勢、即ち、伸張される。又、この公知の蓄勢装置は、基本的に、蓄勢スライダ、放勢スライダ及びこれら蓄勢スライダと放勢スライダの間に設けられたエネルギ蓄勢手段としての蓄勢バネから成っている。
【０００３】
更に、上記公知の蓄勢装置は複数のガイドバーを備えており、このガイドバー上で蓄勢スライダ及び放勢スライダが互いに独立して摺動する。又、ガイドバーは各蓄勢バネを包囲して該蓄勢バネを案内するよう構成されている。
【０００４】
而して、蓄勢スライダは駆動軸に連結された偏心カムにより放勢スライダに対して相対的に直線運動し、蓄勢スライダと放勢スライダの間の蓄勢バネが伸張される。そして、蓄勢スライダが端部に到達すると、放勢スライダの係止が解除され、この放勢スライダは、蓄勢バネに蓄勢された力により弾発的に蓄勢スライダの直線運動に追従する。このような放勢スライダの弾発的な運動は、駆動軸の回転運動に変換され、負荷時において変圧器の複数のコイルタップ間で切換えが行われる。
【０００５】
ところで、公知の蓄勢装置では、蓄勢スライダ及び放勢スライダは、４点支持軸受を備えており、その移動方向に見て上下端において、互いに平行に延設された複数のガイドバーに支持されるとともにこれらに沿って案内される。
【０００６】
そして、このような公知の蓄勢装置は、蓄勢スライダ及び放勢スライダが不動となったり、摺動しづらくなったりすることを絶対に避けなければならないために、ガイドバーの高い平行度及び可動部材の高い正確さが要求される。蓄勢スライダが摺動しづらくなると、許容できない程大きな操作力が必要となり、放勢スライダが摺動しづらくなると、その最終移動位置に到達することができないためそこで係止されず、負荷時のタップの切換えを規定通りに行うことができない。
【特許文献１】独国特許第１９５６３６９号明細書
【特許文献２】独国特許第２８０６２８２号明細書
【特許文献３】国際公開パンフレット第０２／３１８４７号
【発明の開示】
【発明が解決しようとする課題】
【０００７】
そこで、本発明の目的とする処は、構造を簡易にし、作動確実性を高めた負荷時タップ切換器の蓄勢装置を提供することにある。
【課題を解決するための手段】
【０００８】
上記目的は、請求項１の特徴を備えた蓄勢装置により解決される。尚、従属請求項に記載の発明は、本発明の特に有利な実施の形態に関している。
【発明の効果】
【０００９】
互いに平行に延設された３本のガイドバー、及び３点支持された蓄勢スライダ及び放勢スライダを備えた本発明による蓄勢装置によれば、機械的な許容限界を超えることなく最適な蓄勢スライダ及び放勢スライダの案内を行うことができる。そのため、更に、例えば加勢装置に連結してせん断力が発生するような場合でも従来技術に比して特に高い作動確実性を得ることができる。
【発明を実施するための最良の形態】
【００１０】
以下に本発明の実施の形態を添付図面に基づいて説明する。
【００１１】
図１〜図３にはそれぞれ異なった角度から見た本発明による蓄勢装置が示されているが、以下に詳述する全ての構成要素は図示されておらず、そのため、全ての符号も記入していない。又、図が煩雑となるのを避けるため、図２においては蓄勢バネ及び蓄勢装置ホルダも図示していない。
【００１２】
上記従来技術からも公知であるように、ここでも蓄勢装置は偏心ディスク２に連結された駆動軸１を備えている。前記偏心カム２は、蓄勢スライダ３の上部及び下部に設けられた当接部材４，５に当接してこの蓄勢スライダ３を動作させる。本発明においては、蓄勢装置は蓄勢スライダ３の移動方向に沿って互いに平行に延設された３本のガイドバー６，７，８を備えており、本実施の形態においては、そのうち２本のガイドバー６，７がそれぞれ蓄勢バネ１２，１３により包囲されているが、一方、ガイドバー８は蓄勢バネによって包囲されていない。
【００１３】
そして、蓄勢スライダ３はその一方の端部に２つの直進軸受９，１０を備えており、直進軸受９はガイドバー６を支持し、直進軸受１０はガイドバー７を支持している。又、蓄勢スライダ３のもう一方の端部にも１つの直進軸受１１を備えており、この直進軸受１１はガイドバー７を支持している。これら３つの直進軸受９，１０，１１により蓄勢スライダ３は安定してその摺動方向に制限して案内される。
【００１４】
上述したように、蓄勢バネ１２，１３は、それぞれガイドバー６，７を包囲して設けられており、その上下端それぞれに摺動可能に設けられたバネ支え１４，１５に固定支持されている。尚、このバネ支え１４，１５の作用については後述する。
【００１５】
而して、蓄勢スライダ３の下方では該蓄勢スライダの摺動方向と同方向に放勢スライダ１６が案内されている。この放勢スライダ１６は、蓄勢スライダ３が２つの直進軸受９，１０を備える側にガイドバー７を支持する１つの直進軸受１８のみを備えており、これと反対側の、蓄勢スライダ３が１つの直進軸受１１のみを備えた側には、互いに離間して設けられた、ガイドバー６を支持する直進軸受１９、及びガイドバー７を支持する直進軸受２０を備えている。従って、放勢スライダ１６も安定してその摺動方向に制限して案内される。
【００１６】
ところで、図４には、蓄勢スライダ３の３点支持がこれら各点を結んで示されており、両構成要素のそれぞれの支持箇所の配置は左右対称となっている。
【００１７】
又、上記ガイドバー６，７，８はこれらの両端部で蓄勢装置ホルダ１７に固定されており、その他の本発明による構成要素もこの蓄勢装置ホルダ１７に固定されている。
【００１８】
次に、本発明による蓄勢装置の作用を説明する。
【００１９】
駆動軸１が回転を開始し、これに伴い当接部材４，５に当接する偏心カム２が滑動して蓄勢スライダ３が摺動し、蓄勢バネ１２，１３が伸張される。ここで、蓄勢スライダ３が一方の端部まで移動されると、蓄勢バネ１２，１３が最大限に伸張される。この時点まで放勢スライダ１６は、その側面の上下それぞれに設けられた係止レバー２１，２２により蓄勢スライダ３の運動に追従しないよう係止され、そして、この時点で不図示の適当な操作要素によりこのときの移動方向に応じて上部或いは下部の係止レバー２１，２２に設けられた上部或いは下部のローラ２３，２４が内側へ押圧される。
【００２０】
続いて、係止レバー２１，２２は、係止バネ２５の力に抗して放勢スライダ１６の係止を解除し、放勢スライダ１６が今度は伸張された蓄勢バネ１２，１３の力によって弾発的に動かされて蓄勢スライダ３に追従する。この放勢スライダ１６はその初期位置と逆側の端部に移動されると、係止レバー２１，２２により再び係止される。
【００２１】
そして、次の蓄勢装置の動作の際には、上記とは逆方向に蓄勢スライダ３及び放勢スライダ１６が移動する。各構成要素の移動方向が図中に矢印で示されており、蓄勢装置が左右に最終位置を備え、これらの間で交互に切換えが行われる。
【００２２】
又、ローラ２３，２４を操作する適当な操作要素を蓄勢スライダ３の側面でこれに直角に下方へ延設された操作板として形成することができるが、ここでは他の多くの重要な構成要素を隠してしまうため、又、図が煩雑となるのを避けるため図示していない。そして、このような操作板は図１に示すボルト締結部３３に固着させることができる。
【００２３】
ところで、ガイドバー６，７上で摺動可能に設けられて蓄勢バネ１２，１３をそれぞれ支持するバネ支え１４，１５について上記において多少触れた。これらバネ支え１４，１５は、一方では蓄勢スライダ３及び放勢スライダ１６と同様であり、他方では蓄勢スライダ３及び放勢スライダ１６の移動の上限及び下限に当接するとともに、これら両部材の移動に追従するよう構成されている。このため、両方向への蓄勢スライダ３が蓄勢する際の蓄勢バネ１２，１３の伸張、及びこれに続く放勢スライダ１６による放勢時の弾発的な解放が技術的に達成される。
【００２４】
又、放勢スライダ１６の弾発的な直線運動は、特許文献３に開示されているように、例えば歯車が噛合するギヤ装置、或いは特許文献１に開示されているようなスライド部材及びクランクにより駆動部材２６の回転運動に変換される。本実施の形態においては、放勢スライダ１６に固定されて溝３２内で案内される１つ又は２つのローラ３１を備えている。前記駆動部材２６は駆動軸１に連結されており、この駆動軸１はその一端において負荷時タップ切換器を弾発的に操作する。即ち、負荷時に２つのコイルタップ間で弾発的な切換えがなされる。尚、ローラ３１は支持部材３４により放勢スライダに固着されている。
【００２５】
本発明の他の実施の形態によれば、蓄勢装置が更に押戻し装置を備えている。この押戻し装置によって、例えば低温下で、蓄勢装置の潤滑油の粘性が低いような過酷な条件下においても蓄勢スライダ３が最終位置まで到達し、そこで確実に係止されるようにされている。
【００２６】
そして、この押戻し装置は、放勢スライダ１６の上部及び下部に設けられて偏心カム２に設けられたローラピン２９と協働するキャッチ２７，２８で形成されている。ここで、前記ローラピン２９は、放勢スライダ１６がその最終位置へ到達する直前に、このときの放勢スライダ１６の位置に応じてキャッチ２７又はキャッチ２８に当接し、このときまだ回転している偏心カム２により放勢スライダ１６が更にその最終位置へ押動される。そのため、この装置を押戻し装置と呼称している。
【図面の簡単な説明】
【００２７】
【図１】本発明に係る蓄勢装置の側面図である。
【図２】本発明に係る蓄勢装置の斜視図である。
【図３】図２の斜視図を水平方向に１８０°回転させて示す図である。
【図４】３本の平行なガイドバー、及び蓄勢スライダと放勢スライダの３点支持の原理を示す図である。
【符号の説明】
【００２８】
１          駆動軸
２          偏心カム
３          蓄勢スライダ
４，５      当接部材
６，７，８  ガイドバー
９，１０，１１，１８，１９，２０  直進軸受
１２，１３  蓄勢バネ
１４，１５  バネ支え
１６        放勢スライダ
１７        蓄勢装置ホルダ
２１，２２  係止レバー
２３，２４，３１  ローラ
２５        係止バネ
２６        駆動装置
２７，２８  キャッチ
２９        ローラピン
３２        溝
３３        ボルト締結部
３４        支持部材
【図１】
2008544504.tif 000003
【図２】
2008544504.tif 000004
【図３】
2008544504.tif 000005
【図４】
2008544504.tif 000006
【国際調査報告】
2008544504.tif 000007
2008544504.tif 000008
2008544504.tif 000009
2008544504.tif 000010